(57)【要約】本発明は移動端末の防水プッシュボタンスイッチ及び移動端末を開示する。当該防水プッシュボタンスイッチは、プッシュ機構、伝動機構及び主防水部材を備え、プッシュ機構がスライダーとスライダーに設置されたプッシュ部材とを含み、スライダーの両端部がそれぞれ力付与端部、位置制限端部であり、伝動機構が伝動ロッドとベースとを含み、ベースに両端部を貫通する滑り溝が設置され、スライダーが端末ミドルフレームと端末アウターフレームからなる収容溝に設置され、プッシュ部材の少なくとも一部が端末アウターフレームから突出し、位置制限端部が端末ミドルフレームの位置制限部材とマッチングし、ベースが端末ミドルフレームに固定され、主防水部材がベースと端末ミドルフレームとの間に設置され、且つベース上の滑り溝が端末ミドルフレームに設置されたスイッチホールと連通し、伝動ロッドが滑り溝とスイッチホールを通り、スイッチホールを通って収容溝内に位置する端部が力付与端部とマッチングする力受け端部であり、ベースを通る端部が制御対象回路のスイッチアームとマッチングするトグル端部である。【選択図】図１
2019513284.tif 000002
【特許請求の範囲】
【請求項１】
移動端末の防水プッシュボタンスイッチであって、プッシュ機構、伝動機構及び主防水部材を備え、前記プッシュ機構がスライダーと前記スライダーに設置されたプッシュ部材とを含み、前記スライダーの一端部が力付与端部であり、他端部が位置制限端部であり、前記伝動機構が伝動ロッドとベースとを含み、前記ベースに両端部を貫通する滑り溝が設置され、
前記スライダーが端末ミドルフレームと端末アウターフレームからなる収容溝に設置され、前記プッシュ部材の少なくとも一部が前記端末アウターフレームから突出し、前記位置制限端部が前記端末ミドルフレームの位置制限部材とマッチングし、
前記ベースが前記端末ミドルフレームに固定され、前記主防水部材が前記ベースと前記端末ミドルフレームとの間に設置され、且つ前記ベース上の滑り溝が前記端末ミドルフレームに設置されたスイッチホールと連通し、前記伝動ロッドが前記滑り溝とスイッチホールを通り、前記スイッチホールを通って前記収容溝内に位置する端部が前記力付与端部とマッチングする力受け端部であり、前記ベースを通る端部が制御対象回路のスイッチアームとマッチングするトグル端部である、移動端末の防水プッシュボタンスイッチ。
【請求項２】
前記伝動機構はさらにリセット機構を含み、前記リセット機構が弾性部材を含み、前記伝動ロッドに第一の位置制限突起が設置され、前記滑り溝のノッチ内に第二の位置制限突起が設置され、前記弾性部材が前記第一の位置制限突起と前記第二の位置制限突起との間に設置されて、一端部が前記第一の位置制限突起に当接し、他端部が前記第二の位置制限突起に当接する
請求項１に記載の移動端末の防水プッシュボタンスイッチ。
【請求項３】
前記位置制限端部に位置制限バンプが設置され、前記位置制限部材は前記収容溝の底部に前記スライダーのスライド方向に沿って設置された、前記位置制限バンプに対応する少なくとも二つの凹溝を含み、又は前記位置制限端部は前記スライダーのスライド方向に沿って設置された少なくとも二つの凹溝を含み、前記位置制限部材に前記凹溝に対応する位置制限バンプが設置され、
前記位置制限バンプが前記伝動ロッドに遠く離れた凹溝に係止された場合、前記伝動ロッドが前記スイッチアームと接触せず、前記スライダーがスライドして前記位置制限バンプを前記伝動ロッドに近い凹溝に係止させる過程に、前記力付与端部が前記力受け端部を押圧し、前記伝動ロッドを軸心に沿って後方へ移動させ、前記スイッチアームに近づいて押圧し、制御対象回路をオンにする
請求項２に記載の移動端末の防水プッシュボタンスイッチ。
【請求項４】
前記位置制限端部は押圧ロッドを含み、前記押圧ロッドの一端部が前記スライダーに接続され、他端部が自由端部であり、前記押圧ロッドと前記位置制限端部の他の部分との間に一層の中空スペーサ層が設置され、前記位置制限バンプ又は前記凹溝が前記押圧ロッドに設置される
請求項３に記載の移動端末の防水プッシュボタンスイッチ。
【請求項５】
前記力付与端部が傾斜面を含み、前記伝動ロッドの受け力端部の端面がアーク面であり、前記力受け端部の端面が前記傾斜面と対向して設置され、前記スライダーが前記収容溝にスライドし、前記力付与端部を駆動して前記伝動ロッドに近い方向へ移動すると、前記傾斜面が力受け端部を押圧して、前記伝動ロッドが軸心に沿って後方に移動し、前記スイッチアームに近づいて押圧し、制御対象回路をオンにする
請求項２に記載の移動端末の防水プッシュボタンスイッチ。
【請求項６】
前記力付与端部はさらに前記傾斜面において前記スライダーのスライド方向に沿って設置された両側面を含み、前記側面が前記傾斜面と一つの傾斜溝を構成する
請求項５に記載の移動端末の防水プッシュボタンスイッチ。
【請求項７】
前記防水プッシュボタンスイッチはさらに補助防水部材を備え、前記補助防水部材が前記伝動ロッド上の第一の位置制限突起から主防水部材までの、前記伝動ロッドと前記滑り溝との間に構成された空間内に設置される
請求項２〜６のいずれか一項に記載の移動端末の防水プッシュボタンスイッチ。
【請求項８】
前記制御対象回路のスイッチがロッカースイッチであり、前記スイッチアームがロッカースイッチのロッカーアームである
請求項７に記載の移動端末の防水プッシュボタンスイッチ。
【請求項９】
前記スライダーの前記端末アウターフレームに近い面が前記端末アウターフレームに密着する
請求項７に記載の移動端末の防水プッシュボタンスイッチ。
【請求項１０】
移動端末であって、請求項１〜９のいずれか一項に記載の移動端末の防水プッシュボタンスイッチを備える、移動端末。
【発明の詳細な説明】
【技術分野】
【０００１】
本発明は通信装置分野に関するがこれらに限定されなく、特に移動端末の防水プッシュボタンスイッチ及び移動端末に関するものである。
【背景技術】
【０００２】
現在、携帯電話、ポータブルデバイス（ｐａｄ）などの移動端末には従来のボタンスイッチが広く存在し、音量制御、端末常時表示、電源オン及びオフなどの従来のユーザのニーズを実現することに用いられる。携帯電話の使用範囲が広くなるにつれ、ユーザはワンボタンミュート、ワンボタンアラーム、ワンボタン懐中電灯などの特殊なニーズにますます注目している。この時にスイッチがオン状態又はオフ状態にあるかをユーザが簡単かつ直観的に判断することが困難であるため、押しボタンスイッチが明らかに好適ではない。
【０００３】
現在の市販されている端末装置では、一部が既にワンボタンミュートプッシュボタンスイッチを備え、例えばＩＰＨＯＮＥ携帯電話があるが、これらの携帯電話に用いられたプッシュボタンスイッチが防水スイッチではなく、効果的に防水できない。また他の製品例えばプロフェッショナル懐中電灯などの非通信製品が防水プッシュボタンスイッチを備えるが、その機能が簡単で統合性が低く、端末通信製品の高い複雑性及びユニークなＲＦ、オーディオ、アンテナなどの性能を考慮していないため、その設計スキームが端末製品と大きく異なり、端末通信製品に用いられることができない。したがって端末に適する、防水を実現するプッシュボタンスイッチを設計することは解決すべき緊急の課題である。
【発明の概要】
【発明が解決しようとする課題】
【０００４】
以下は本明細書で説明されるトピックに対する概要である。本概要は請求項の保護範囲を限定するためのものではない。
【０００５】
本発明の実施例が解決しようとする主な技術的問題は、移動端末に適する防水機能を実現できるプッシュボタンスイッチ及び移動端末を提供することである。
【課題を解決するための手段】
【０００６】
移動端末の防水プッシュボタンスイッチであって、
プッシュ機構、伝動機構及び主防水部材を備え、プッシュ機構がスライダーとスライダーに設置されたプッシュ部材とを含み、スライダーの一端部が力付与端部であり、他端部が位置制限端部であり、伝動機構が伝動ロッドとベースとを含み、ベースに両端部を貫通する滑り溝が設置される。
【０００７】
スライダーが端末ミドルフレームと端末アウターフレームからなる収容溝に設置され、プッシュ部材の少なくとも一部が端末アウターフレームから突出し、位置制限端部が端末ミドルフレームの位置制限部材とマッチングする。
【０００８】
ベースが端末ミドルフレームに固定され、主防水部材がベースと端末ミドルフレームとの間に設置され、且つベース上の滑り溝が端末ミドルフレームに設置されたスイッチホールと連通し、伝動ロッドが滑り溝とスイッチホールを通り、スイッチホールを通って収容溝内に位置する端部が力付与端部とマッチングする力受け端部であり、ベースを通る端部が制御対象回路のスイッチアームとマッチングするトグル端部である。
【０００９】
選択可能に、前記伝動機構はさらにリセット機構を含み、前記リセット機構が弾性部材を含み、前記伝動ロッドに第一の位置制限突起が設置され、前記滑り溝のノッチ内に第二の位置制限突起が設置され、前記弾性部材が前記第一の位置制限突起と前記第二の位置制限突起との間に設置されて、一端部が前記第一の位置制限突起に当接し、他端部が前記第二の位置制限突起に当接する。
【００１０】
選択可能に、前記位置制限端部に位置制限バンプが設置され、前記位置制限部材は前記収容溝の底部に前記スライダーのスライド方向に沿って設置された、前記位置制限バンプに対応する少なくとも二つの凹溝を含み、又は前記位置制限端部は前記スライダーのスライド方向に沿って設置された少なくとも二つの凹溝を含み、前記位置制限部材に前記凹溝に対応する位置制限バンプが設置される。
【００１１】
前記位置制限バンプが前記伝動ロッドに遠く離れた凹溝に係止された場合、前記伝動ロッドが前記スイッチアームと接触せず、前記スライダーがスライドして前記位置制限バンプを前記伝動ロッドに近い凹溝に係止させる過程に、前記力付与端部が前記力受け端部を押圧し、前記伝動ロッドを軸心に沿って後方へ移動させ、前記スイッチアームに近づいて押圧し、制御対象回路をオンにする。
【００１２】
選択可能に、前記位置制限端部は押圧ロッドを含み、前記押圧ロッドの一端部が前記スライダーに接続され、他端部が自由端部であり、前記押圧ロッドと前記位置制限端部の他の部分との間に一層の中空スペーサ層が設置され、前記位置制限バンプ又は前記凹溝が前記押圧ロッドに設置される。
【００１３】
選択可能に、前記力付与端部が傾斜面を含み、前記伝動ロッドの受け力端部の端面がアーク面であり、前記力受け端部の端面が前記傾斜面と対向して設置され、前記スライダーが前記収容溝にスライドし、前記力付与端部を駆動して前記伝動ロッドに近い方向へ移動すると、前記傾斜面が力受け端部を押圧して、前記伝動ロッドが軸心に沿って後方に移動し、前記スイッチアームに近づいて押圧し、制御対象回路をオンにする。
【００１４】
選択可能に、力付与端部はさらに前記傾斜面において前記スライダーのスライド方向に沿って設置された両側面を含み、前記側面が前記傾斜面と一つの傾斜溝を構成する。
【００１５】
選択可能に、さらに補助防水部材を備え、補助防水部材が伝動ロッド上の第一の位置制限突起から主防水部材までの、伝動ロッドと滑り溝との間に構成された空間内に設置される。
【００１６】
選択可能に、制御対象回路のスイッチがロッカースイッチであり、スイッチアームがロッカースイッチのロッカーアームである。
【００１７】
選択可能に、スライダーの端末アウターフレームに近い面が端末アウターフレームに密着する。
【００１８】
移動端末は、上述した移動端末防水プッシュボタンスイッチを備える。
【００１９】
本発明の実施例は移動端末の防水プッシュボタンスイッチ及び移動端末を提供し、当該防水プッシュボタンスイッチがプッシュ機構と伝動機構及び主防水部材を備え、プッシュ機構がスライダーとスライダーに設置されたプッシュ部材とを含み、スライダーが端末アウターフレームと端末ミドルフレームからなる収容溝にスライドすることができ、スライダー上のプッシュ部材の一部が端末アウターフレームから突出し、ユーザが突出されたプッシュ部材を操作してスライダーのスライドを完了することに利便性を与え、スライダーの両端部がそれぞれ力付与端部と位置制限端部であり、スライダーの力付与端部が収容溝に入った伝動ロッドの力受け端部と相互にマッチングし、スライダーがスライドして力付与端部が力受け端部を押圧し、伝動ロッドが力を受けてベース上の滑り溝に沿って後方へ移動すると、制御対象回路のスイッチアームをトリガし、制御対象回路がオンになり、プッシュボタンスイッチによって回路のオン及びオフを制御する機能を達成し、端末ミドルフレームと伝動機構のベースとの間に、二つの部材の間に固定された主防水部材が設置され、端末ミドルフレームと伝動機構との間の防水を実現し、プッシュボタンスイッチの防水性を保証し、同時に本発明のプッシュボタンスイッチは小型、軽量で集積度が高いという利点を有している。
【図面の簡単な説明】
【００２０】
【図１】本発明の実施例における防水プッシュボタンスイッチの断面図である。
【図２】本発明の実施例における防水プッシュボタンスイッチのスライダーの正面図である。
【図３】本発明の実施例における防水プッシュボタンスイッチのスライダーの背面図である。
【図４】本発明の実施例におけるミドルフレームの正面図である。
【図５】本発明の実施例における防水プッシュボタンスイッチのリセット機構の断面図である。
【図６】本発明の実施例における別の防水プッシュボタンスイッチの断面図である。
【図７】本発明の実施例における防水プッシュボタンスイッチのベースの組み立て図である。
【図８】本発明の実施例における別の防水プッシュボタンスイッチのオフ状態の断面図である。
【図９】本発明の実施例における別の防水プッシュボタンスイッチのオン状態の断面図である。
【図１０】本発明の実施例における防水プッシュボタンスイッチが移動端末に組み立てられた組み立て図である。
【図１１】本発明の実施例における移動端末を示す図である。
【発明を実施するための形態】
【００２１】
以下に図面と組み合わせて本発明の実施形態を詳細に説明する。説明すべきものとして、衝突しない場合で、本発明における実施例及び実施例における特徴が相互且つ任意に組合わせられてもよい。
【００２２】
本発明の実施例における防水プッシュボタンスイッチは体積が小さく、集積度が高く、移動端末などのスイッチの体積に対して特定の要求を有する電子製品のプッシュボタンスイッチに適用し、且つ該プッシュボタンスイッチは良い防水性を有する。
【００２３】
図１を参照すると、図１が本発明の実施例における防水プッシュボタンスイッチの断面図であり、該防水プッシュボタンスイッチはプッシュ機構１、伝動機構２及び主防水部材３を備える。プッシュ機構１は防水プッシュボタンスイッチにおいてユーザが直接接触できる部分であり、ユーザによって印加された推力を伝動機構に必要な動力に変換することができる。伝送機構２はプッシュ機構１から伝達された動力によって制御対象回路の切断及び導通を制御することができる。
【００２４】
プッシュ機構１はスライダー１２とスライダー１２に設置されたプッシュ部材１１とを含み、スライダー１２の一端部が力付与端部であり、他端部が位置制限端部である。伝動機構２は伝動ロッド２２とベース２１とを含み、ベース２１に両端部を貫通する滑り溝２１１が設置される。
【００２５】
スライダー２１は端末ミドルフレーム４２と端末アウトフレーム４１からなる収容溝４３に設置され、プッシュ部材１１の少なくとも一部が端末アウターフレーム４１から突出し、位置制限端部が端末ミドルフレーム４２の位置制限部材とマッチングする。ベース２１は端末ミドルフレーム４２に固定され、主防水部材３はベース２１と端末ミドルフレーム４２との間に設置され、且つベース２１上の滑り溝２１１が端末ミドルフレーム４２に設置されたスイッチホール（図４を参照し、スイッチホール４２３）と連通する。伝動ロッド２２が滑り溝２１１とスイッチホールを通り、スイッチホールを通って収容溝４３内に位置する端部が力付与端部とマッチングする力受け端部であり、ベース２１を通る端部が制御対象回路のスイッチアーム５１とマッチングするトグル端部である。
【００２６】
図２を参照すると、本発明の実施例におけるスライダー１２上のプッシュ部材１１は、スライダー１２の正面の凸度が大きい突出ブロックであってもよく、該突出ブロックの形状が限定されず、選択可能に、美しい長楕円形又は簡単な長方形などであってもよい。
【００２７】
選択可能に、上述した主防水部材３は中央に貫通孔がある構造であってもよく、貫通孔のサイズがプッシュロッドの断面とマッチングし、主防水部材が端末ミドルフレームとベースとの間に固定される場合でも、伝動ロッドは主防水部材の貫通孔を通り、これにより主防水部材はベースと端末ミドルフレームとの間の防水を実現する。上述した主防水部材は異形であってもよく、アーク形のエッジを設置して伝動ロッドを避け、防水機能を実現する。
【００２８】
上述した防水プッシュボタンでは、伝動ロッド２２の力受け端部がスライダー１２の力付与端部と対向し、トグル端部が制御対象回路のスイッチアーム５１と対向する。力付与端部が力受け端部へ圧力を印加すると、伝動ロッド２２は後方へ移動し、トグル端部がスイッチアーム５１に近付いて押圧し、制御対象回路がオンになる。力付与端部が力受け端部への圧力を小さくすると、トグル端部が受けたスイッチアーム５１の反力が力受け端部の圧力より大きくなり、伝動ロッド２２がこの前の位置にフォールバックし、スイッチアーム５１がゆっくりと回復し、制御対象回路が切断される。
【００２９】
選択可能に、本実施例における制御対象回路のスイッチがロッカースイッチであり、上述したスイッチアームがロッカーアームである。
【００３０】
本実施例では、プッシュボタンスイッチは制御対象回路の切断及び導通を制御するという機能を備え、そのためプッシュボタンスイッチのスライダー１２が収容溝にスライドしない時に、それぞれ回路の切断及び導通状態に対応する二つの位置を少なくとも有し、従って防水プッシュボタンスイッチの位置制限端部１３が収容溝内のこの二つの位置でのスライダーの固定を実現する必要がある。選択可能に、図３を参照すると、位置制限端部１３に位置制限バンプ１３１が設置され、図４を参照すると、位置制限端部１３は収容溝内に対応して設置された、スライダー１２のスライド方向に沿って分布された少なくとも二つの凹溝４２１及び４２２を含み、図８を参照すると、位置制限バンプ１３１が伝動ロッドに遠い凹溝４２１に係止された場合、プッシュボタンスイッチは切断状態にあり、この時に後端の制御対象回路が導通されず、図９を参照すると、スライダー１２が収容溝に沿ってスライドし、位置制限バンプ１３１が伝動ロッドに遠い凹溝４２１から離れ、徐々に伝動ロッドに近い凹溝４２２内に近づいて係止されると、力付与端部は下方へスライドし、伝動ロッド２２を軸心に沿って後方へ移動させ、徐々に制御対象回路のスイッチアーム５１に近づいて押圧し、制御回路が導通される。
【００３１】
もちろん、上述した位置制限バンプ１３１と凹溝の設置位置が交換されてもよく、即ち位置制限端部１３にスライダー１２のスライド方向に沿って分布された凹溝を設置し、収容溝に対応する位置制限バンプ１３１を設置することができる。
【００３２】
ユーザがスライダー１２を操作してスライドする時に、位置制限バンプ１３１が容易に凹溝からスライドすることを保証し、ユーザーエクスペリエンスを向上させるために、位置制限端部１３上の位置制限バンプ又は凹溝がある部分が一定の変形能力を有する必要がある。図３を参照すると、選択可能に、位置制限端部１３はさらに押圧ロッド１３２を含み、押圧ロッド１３２の一端部がスライダー１２に接続され、他端部が自由端であり、押圧ロッドと位置制限端部の他の部分との間に一層の中空スペーサ層１３３が設置され、位置制限端部に設置された前記位置制限バンプ１３１又は凹溝が押圧ロッド１３２に設置され、スペーサ層１３３の設置により押圧ロッド１３２は良い弾性変形能力を有し、位置制限バンプ１３１が凹溝からスライドすると、押圧ロッド１３２は変形でき、自由端部がスペーサ層に近い方向へ曲がり、位置制限バンプ１３１がより容易に凹溝から離れることを支援し、また位置制限バンプ1３１のスライド抵抗を減少する。
【００３３】
スライダーがスライドする時に、力付与端部と力受け端部がよりマッチングすることを保証するために、選択可能に、図３を参照すると、力付与端部が傾斜面１２１を含み、図５を参照すると、伝動ロッドの力受け端部がアーク面であり、力受け端部と力付与端部が対向して設置され、即ち力受け端部の端面が力付与端部の傾斜面１２１と対向する。スライダーが収容溝にスライドし、力付与端部を駆動して伝動ロッドに近い方向へ移動すると、傾斜面１２１が力受け端部を押圧し、伝動ロッドが軸心に沿って後方に移動し、スイッチアームに近づいて押圧し、制御対象回路が導通される。
【００３４】
力付与端部が傾斜面を含むことに基づき、伝動ロッドの力受け端部の移動軌跡に対する案内機能を実現するために、選択可能に、図３を参照すると、力付与端部はさらに傾斜面１２１上のスライダーがスライドする方向に沿って設置された二つの側面１２２を含み、傾斜面１２１とこの二つの側面１２２が一つの傾斜溝を構成する。
【００３５】
スイッチアーム自体の弾力によって伝動ロッドのフォールバックを実現する以外、選択可能に、図５を参照すると、本実施例の防水プッシュボタンはさらに伝動ロッドのリセットを実現することに専門に用いられるリセット機構を備えることができ、該リセット機構が弾力を有する弾性部材６を含み、伝動ロッドに第一の位置制限突起２２１が設置され、該第一の位置制限突起２２１が一つのフランジであってもよいし、任意の少なくとも一つの小さな突出ブロックであってもよく、滑り溝のノッチ内に第二の位置制限突起２１５が設置され、該第二の位置制限突起２１５が直接ノッチ内に成形されたフランジ又は突出ブロックであってもよいし、個別に設置された部材であってもよく、滑り溝に固定される。弾性部材６は第一の位置制限突起２２１と第二の位置制限突起２１５との間に設置され、弾性部材６の一端部が第一の位置制限突起２２１に当接し、他端部が第二の位置制限突起２１５に当接し、選択可能に、弾性部材はバネとして選択されてもよく、バネが伝動ロッドに嵌設され、二つの位置制限突起の間に係止される。
【００３６】
上述した防水プッシュボタンスイッチでは、一般的に、製造するために、ベースの滑り溝は半径が伝動ロッドの半径より少し大きい貫通孔であり、そのためベースの一側に固定された滑り溝と伝動ロッドとの間に環状ギャップがあり、その結果、ベース自体が防水性を有せず、ベースの防水を実現するために、ベースを製造する時に、ベースの滑り溝の一つのノッチ内にフランジを設置することができ、フランジの内径が伝動ロッドの半径とマッチングするが、この方法はベース構造を変更する必要があり、且つ防水性と伝動ロッドがフランジ内に受けた摩擦力とのバランスが必要である。防水目的をより良く且つより簡単に達成するために、選択可能に、図５を参照すると、防水プッシュボタンスイッチはさらに補助防水部材３１を備え、補助防水部材３１が伝動ロッドの第一の位置制限突起２２１から主防水部材３までの、伝動ロッドと滑り溝からなる空間内に設置される。
【００３７】
選択可能に、図６を参照すると、本実施例の補助防水部材３１は主防水部材３と一体に成形されてもよく、主防水部材３に伝動ロッドが通るように収容される貫通孔がある場合、補助防水部材３１は主防水部材３１の貫通孔から延びる中空ロッド構造であり、理想的には中空ロッドの半径が駆動ロッドの半径に等しく、伝動ロッドの半径よりも少し大きくてもよく、この時に伝動ロッドが力を受けて移動する抵抗が小さく、ベースの防水性能が少し悪く、伝動ロッドの半径より少し小さくてもよく、この時に伝動ロットが力を受けて移動する抵抗が大きく、ベースの防水性能が良い。
【００３８】
選択可能に、図７を参照すると、本実施例のベースは取り外し可能な構造であってもよく、ベースがシリンダブラケット２１２とシリンダ２１３及びシリンダカバー２１４を含み、シリンダブラケット２１２、シリンダ２１３、シリンダカバー２１４のそれぞれに軸穴が設置され、且つ相互に組み合わせて組み立てられてもよく、組み立てられた後に全ての軸穴の軸心が重なり合い、シリンダブラケット２１２、シリンダ２１３とシリンダカバー２１４が一つの筒状の滑り溝を形成することができ、バネ６が伝動ロッドに挿通され、シリンダカバー２１４と伝動ロッド２２の第一の位置制限突起との間に当接し、且つ伝動ロッド２２と共に滑り溝内に往復スライドでき、補助防水部材３１を伝動ロッド２２の力受け端部に嵌設させると、補助防水部材３１がシリンダブラケット２１２、シリンダ２１３からなる一つの溝状の収容空間に位置し、この時に補助防水部材３１は押されて変形し、伝動ロッド２２、シリンダブラケット２１２、シリンダ２１３に密着すると、伝動機構の防水を実現できる。
【００３９】
図１０を参照すると、図１０が本実施例における防水プッシュボタンスイッチが移動端末に組み立てられた組み立て図であり、図１０に示すように組み立てられた後、端末アウトフレーム４１に一つの長尺状の貫通孔４２２があり、スライダー１２のプッシュ部材が端末アウトフレーム４１から突出しやすくなり、端末アウトフレーム４１と端末ミドルフレーム４２によりプッシュボタンスイッチの固定が実現され、カバープレート４４が端末ミドルフレーム４２の開放面に組み立てられ、端末ミドルフレーム４２とカバープレート４４の間が密閉状態となる。
【００４０】
図１１を参照すると、図１１が本発明の実施例による防水プッシュボタンスイッチが取り付けられた移動端末を示す図であり、移動端末上の防水プッシュボタンスイッチの可視部分が端末アウトフレーム４１から露出したプッシュ部材１１とプッシュ部材１１の付近のスライダーの表面のみを通る。選択可能に、端末アウトフレーム４１と端末ミドルフレームとの間の収容溝でのスライダーの固定及び防水性のために、スライダーの端末アウトフレームに近い面が端末アウトフレームに密着し、即ちスライダーのプッシュ部材１１側の表面が端末アウトフレーム４１に密着する。
【００４１】
本実施例における防水プッシュボタンスイッチは、プッシュ機構、伝動機構と防水部材を備え、プッシュ機構がユーザによって印加された推力を伝動ロッドに印加される動力に変換し、これにより伝動ロッドが制御対象回路のスイッチアームの方向へ移動し、スイッチアームを押圧するまで継続し、制御対象回路のオンを実現し、主防水部材が端末ミドルフレームと伝動機構のベースとの間に設置され、伝動機構と端末ミドルフレームの間の防水を実現し、補助防水部材がプッシュボタンスイッチ自体のベースの防水シール性を保証し、主、補助防水部材の使用により本実施例のプッシュボタンスイッチの防水性を大幅に向上させ、これにより本実施例のスイッチは軽量且つ小型で移動端末に適するだけでなく、防水効果が強く、実用性が高い。
【００４２】
上記は具体的な実施形態と組み合わせて本発明に対して行われたさらなる詳細な説明であり、本発明の具体的な実施がこれらの説明のみに限定されると考えられることができない。本発明が属する技術分野の当業者であれば、本発明の概念から逸脱することなく、いくつかの簡単な導出又は置換を行うことができ、これらは本発明の保護範囲に属すると見なされるべきである。
【産業上の利用可能性】
【００４３】
本発明の実施例解決策におけるスライダーが端末アウトフレームと端末ミドルフレームからなる収容溝にスライドすることができ、スライダーのプッシュ部材の一部が端末アウトフレームから突出するので、ユーザが突出したプッシュ部材を操作してスライダーのスライドを完了することが容易になり、スライダーの両端部がそれぞれ力付与端部と位置制限端部であり、スライダーの力付与端部と収容溝に入った伝動ロッドの力受け端部が相互にマッチングし、スライダーがスライドして力付与端部が力受け端部を押圧し、伝動ロッドが力を受けてベース上の滑り溝に沿って後方へ移動すると、制御対象回路のスイッチアームをトリガし、制御対象回路がオンになり、プッシュボタンスイッチによって回路のオン及びオフを制御する機能を達成し、端末ミドルフレームと伝動機構のベースとの間に、二つの部材の間に固定された主防水部材が設置され、端末ミドルフレームと伝動機構との間の防水を実現し、プッシュボタンスイッチの防水性を保証し、同時に本発明のプッシュボタンスイッチは小型、軽量で集積度が高いという利点を有している。
【図１】
2019513284.tif 000003
【図２】
2019513284.tif 000004
【図３】
2019513284.tif 000005
【図４】
2019513284.tif 000006
【図５】
2019513284.tif 000007
【図６】
2019513284.tif 000008
【図７】
2019513284.tif 000009
【図８】
2019513284.tif 000010
【図９】
2019513284.tif 000011
【図１０】
2019513284.tif 000012
【図１１】
2019513284.tif 000013
【国際調査報告】
2019513284.tif 000014
2019513284.tif 000015
2019513284.tif 000016
2019513284.tif 000017